(57)【要約】      （修正有）【課題】棚からワインを取ったり、棚にワインを入れたりするのに便利な棚形状が改善された冷蔵庫を提供する。【解決手段】棚形状が改善された冷蔵ショーケースまたはワインキャビネット等の冷蔵庫であり、チャンバー１、棚２とガイド３を含んでおり、ガイド３は固定レールとスライドガイド３１を含み、棚２はスライドガイドと接続され、固定レールはチャンバーの内壁１ａと固定接続され、棚は左部分２１、右部分２２と垂直接続部２３を含んでおり、左部分が所在する水平面と右部分が所在する水平面に高さの差があり、左部分と右部分はそれぞれスライドガイド３１と着脱できる。【選択図】図２
0003219269.tif 000002
【実用新案登録請求の範囲】
【請求項１】
チャンバー、棚、及びガイドを含んでおり、前記ガイドは固定レールとスライドガイドを含み、前記棚は前記スライドガイドと接続され、前記固定レールはチャンバーの内壁面と固定接続されること、前記棚は左部分、右部分、及び垂直接続部を含んでおり、前記左部分が所在する水平面と右部分が所在する水平面に高さの差があること、
前記左部分と右部分はそれぞれ前記ガイドのスライドガイドと着脱できること、を特徴とする棚形状が改善された冷蔵庫。
【請求項２】
前記左部分と右部分は前記スライドガイドとの接続部に少なくとも二つのフックが設置され、前記スライドガイドに少なくとも二つの吊り部が設置されること、前記フックと吊り部は着脱できることを特徴とする請求項１記載の棚形状が改善された冷蔵庫。
【請求項３】
前記左部分は左ボトムフレームと複数本の左横棒を含み、右部分は右ボトムフレームと複数本の右横棒を含み、垂直接続部は複数本の垂直棒からなること、前記垂直棒の両端はそれぞれ前記左横棒と右横棒の端と接続されること、前記フックはそれぞれ前記左ボトムフレームの左縦棒と右ボトムフレームの右縦棒に設けられることを特徴とする請求項２記載の棚形状が改善された冷蔵庫。
【請求項４】
前記フックはベースプレート、ベースプレートの前下部に設けられたガイディングギャップ、ベースプレートの中部に設けられたポジショニングホール、ガイディングギャップ、及び前記ポジショニングホールのボトムと接続するガイディングスロットを含むこと、
前記ベースプレートの上端は前記左縦棒と右縦棒と固定接続されること、
前記吊り部は水平パレットと垂直バッフルを含み、前記水平パレットの片側は前記スライドガイドと固定接続され、他側は前記垂直バッフルと接続されること、
前記水平パレットとガイディングギャップの水平壁板は滑り嵌めとなり、前記水平パレットとガイディングスロットは滑り嵌めとなり、前記水平パレットとポジショニングホールのトップは嵌合になることを特徴とする請求項３記載の棚形状が改善された冷蔵庫。
【請求項５】
前記左横棒は二つ毎に左横棒グループになり、前記垂直棒は二つ毎に垂直棒グループになり、前記右横棒は二つ毎に右横棒になること、
隣り合う二つの左横棒グループの中で、向かい合う二つの左横棒は嵌合スロットになり、左横棒グループでの一つの左横棒と前記左ボトムフレームの左フレーム横棒と嵌合スロットになること、
隣り合う二つの右横棒グループの中で、向かい合う二つの右横棒は嵌合スロットになり、右横棒グループの一つの右横棒と前記右ボトムフレームの右フレーム横棒と嵌合スロットになることを特徴とする請求項３記載の棚形状が改善された冷蔵庫。
【請求項６】
前記左横棒、垂直棒、及び右横棒のそれぞれは１本の金属ワイヤで造られる請求項２、３、４または５いずれかに記載の棚形状が改善された冷蔵庫。
【請求項７】
照明用ランプを含むこと、前記チャンバーの前開口部はチャンバーの高さ方向に沿って前記照明用ランプが設けられ、両側の照明用ランプは向かい合うことを特徴とする請求項１、２、３、４または５いずれかに記載の棚形状が改善された冷蔵庫。
【請求項８】
前記照明用ランプはシート、照明基板、照明基板に設けられたＬＥＤ発光体、及びカバーを含むこと、
前記チャンバーの側壁板と前壁板の交わり部にギャップが設けられ、前記シートはギャップと側壁板と平行する表面に設けられ、前記照明基板はシートに設けられ、カバーが前記シートとスナップフィットとなり、前記カバーとシートが着脱できることを特徴とする請求項７記載の棚形状が改善された冷蔵庫。
【請求項９】
前記シートに高さ方向に沿うスナップ部と、シート外側での高さ方向に沿うピンボードが設けられ、前記スナップ部は前記照明基板の両側にあること、
前記カバーの側壁板に二つの高さ方向に沿うスナップフックが設けられ、前壁板の端に高さ方向に沿うピンスロットが設けられること、
前記スナップフックとスナップ部はスナップフィットになり、前記ピンボードはピンスロットに差し込まれることを特徴とする請求項８記載の棚形状が改善された冷蔵庫。
【考案の詳細な説明】
【技術分野】
【０００１】
本考案は冷蔵ショーケースまたはワインキャビネット等の冷蔵庫に係る。
【背景技術】
【０００２】
従来の冷蔵ショーケースまたはワインキャビネットは、チャンバー、棚及びガイドを含み、ガイドは固定レールとスライドガイドを含み、棚はスライドガイドと接続され、固定レールとチャンバーとは固定接続になっている。その問題として、棚からワインを取ったり、棚にワインを入れたりするのに不便であり、広いチャンバーが必要である。
【考案の概要】
【考案が解決しようとする課題】
【０００３】
本考案の目的は棚形状が改善された冷蔵庫を提供することであり、これは棚の層状化がはっきりしており、取ったり入れたりするのに便利である特徴を持っている。
【課題を解決するための手段】
【０００４】
本考案は以下のように実現される。棚形状が改善された冷蔵ショーケースまたはワインキャビネット等の冷蔵庫であり、チャンバー、棚とガイドを含んでおり、ガイドは固定レールとスライドガイドを含み、棚はスライドガイドと接続され、固定レールはチャンバーと固定接続される。その特徴は以下の通りである。前記棚は左部分、右部分と垂直接続部を含んでおり、左部分が所在する水平面と右部分が所在する水平面に高さの差がある。
【０００５】
左部分と右部分はそれぞれガイドのスライドガイドと着脱できる。
【０００６】
本考案はその特徴が以下の通りである。前記左部分と右部分は前記スライドガイドとの接続部に少なくとも二つのフックが設置され、スライドガイドに少なくとも二つの吊り部が設置される。フックと吊り部は着脱できる。
【０００７】
本考案はその特徴が以下の通りである。前記左部分は左ボトムフレームと複数本の左横棒を含み、右部分は右ボトムフレームと複数本の右横棒を含み、垂直接続部は複数本の縦棒からなる。縦棒の両端はそれぞれ左横棒と右横棒の端と接続される。
【０００８】
前記フックはそれぞれ左ボトムフレームの左縦棒と右ボトムフレームの右縦棒に設けられる。
【０００９】
本考案はその特徴が以下の通りである。前記フックはベースプレート、ベースプレートの前下部に設けられたガイディングギャップ、ベースプレートの中部に設けられたポジショニングホール及びガイディングギャップとポジショニングホールのボトムと接続するガイディングスロットを含む。ベースプレートの上端は前記左縦棒と右縦棒と固定接続される。
【００１０】
前記吊り部は水平パレットと垂直バッフルを含み、水平パレットの片側は前記スライドガイドと固定接続され、他側は垂直バッフルと接続される。
【００１１】
水平パレットとガイディングギャップの水平壁板は滑り嵌めとなり、水平パレットとガイディングスロットは滑り嵌めとなり、水平パレットとポジショニングホールのトップは嵌合になる。
【００１２】
本考案はその特徴が以下の通りである。前記左横棒は二つ毎に左横棒グループになり、前記縦棒は二つ毎に縦棒グループになり、前記右横棒は二つ毎に右横棒になる。
【００１３】
隣り合う二つの左横棒グループの中で向かい合う二つの左横棒は嵌合スロットになり、左横棒グループでの一つの左横棒と前記左ボトムフレームの左フレーム横棒と嵌合スロットになる。
【００１４】
隣り合う二つの右横棒グループの中で向かい合う二つの右横棒は嵌合スロットになり、右横棒グループの一つの右横棒と前記右ボトムフレームの右フレーム横棒と嵌合スロットになる。
【００１５】
前記棚形状が改善された冷蔵ショーケースまたはワインキャビネットはその特徴が以下の通りである。前記左横棒、縦棒と右横棒は１本の金属ワイヤで造られる。
【００１６】
本考案はその特徴が以下の通りである。まだ照明用ランプを含む。
【００１７】
前記チャンバーの前開口部はチャンバーの高さ方向に沿って照明用ランプが設けられ、両側の照明用ランプは向かい合う。
【００１８】
前記棚形状が改善された冷蔵ショーケースまたはワインキャビネットはその特徴が以下の通りである。前記照明用ランプはシート、照明基板、照明基板に設けられたＬＥＤ発光体とカバーを含む。
【００１９】
前記チャンバーの側壁板と前壁板の交わり部にギャップが設けられ、シートはギャップと側壁板と平行する表面に設けられ、照明基板はシートに設けられ、カバーとシートはスナップフィットとなり、着脱できる。
【００２０】
本考案はその特徴が以下の通りである。前記シートに高さ方向に沿うスナップ部とシート外側での高さ方向に沿うピンボードが設けられ、スナップ部は前記照明基板の両側にある。
【００２１】
前記カバーの側壁板に二つの高さ方向に沿うスナップフックが設けられ、前壁板の端に高さ方向に沿うピンスロットが設けられる。
【００２２】
スナップフックとスナップ部はスナップフィットになり、ピンボードはピンスロットに差し込まれる。
【００２３】
本考案は、このような構造を採用しているため、ワイン瓶を入れる時、左部分と右部分のワイン瓶の口は対面することになり、チャンバーの広さを有効利用でき、ワイン瓶を取ったり入れたりする時に便利である。
【図面の簡単な説明】
【００２４】
【図１】本考案の冷蔵ショーケースまたはワインキャビネットの内部構造を示す正面図である。
【図２】本考案の棚が引き出された時の斜視図である。
【図３】本考案の棚とガイドが装着された時の立体分解図である。
【図４】図３の部分拡大斜視図である。
【図５】本考案の棚の斜視図である。
【図６】図５の部分拡大図である。
【図７】図１のＡ−Ａ断面図である。
【図８】図７の部分拡大図である。
【考案を実施するための形態】
【００２５】
以下は図面に基づいて本考案の冷蔵庫の実施形態である冷蔵ショーケース（またはワインキャビネットでもよい。）について詳しく説明する。
【００２６】
図１に示すように、棚形状が改善された冷蔵ショーケース（またはワインキャビネットでもよい。）は、ハウジング１００、ハウジング１００内部を構成し、内壁１ａと内壁１ａに囲まれる空間部１ｂとを有するチャンバー１、チャンバー１の内壁１ａに配置される棚２、及び棚２を案内するガイド３を含んでいる。ガイド３は固定レール３０と固定レール３０の側面に設けるスライドガイド３１を含んでいる。棚２はスライドガイド３１と接続され、固定レール３０はチャンバー１の内壁面に固定接続される。
【００２７】
棚２は左部分２１、右部分２２、及び垂直接続部２３を含む。左部分２１が所在する水平面と右部分２２が所在する水平面には高さの差がある。棚２は棒材を加工して組み立てたものである。
【００２８】
左部分２１と右部分２２はそれぞれガイド３のスライドガイド３１とそれぞれ着脱できる。
【００２９】
左部分２１と右部分２２はスライドガイド３１との接続部に少なくとも二つのフック４が設置される。スライドガイド３１に少なくとも二つの吊り部５が設置される。フック４と吊り部５は着脱できる。
【００３０】
左部分２１は左ボトムフレーム２１１と左ボトムフレーム２１１に接続する複数本（ここでは１０本）の左横棒２１２を含む。右部分２２は右ボトムフレーム２２１と複数本の右横棒２２２を含み、垂直接続部２３は複数本の垂直棒からなる。垂直棒の両端はそれぞれ左横棒２１２と右横棒２２２の端と接続される。ここでいう「横」、「縦」の方向の解釈は、左部分２１と右部分２２を平面で見た場合をいい、チャンバー１の左右方向を「横」、チャンバー１の前後方向を「縦」とする。
【００３１】
フック４はそれぞれ左ボトムフレーム２１１の左縦棒２１１１と右ボトムフレーム２２１の右縦棒２２１１に設けられる。
【００３２】
フック４は、ベースプレート４１、ベースプレート４１の前下部に設けられたガイディングギャップ４２、ベースプレート４１の中部に設けられたポジショニングホール４３、及びガイディングギャップ４２とポジショニングホール４３のボトムと接続するガイディングスロット４４を含む。ガイディングスロット４４がガイディングギャップ４２とポジショニングホール４３を連通する。ガイディングスロット４４がポジショニングホール４３に対して縮径されている。ベースプレート４１の上端は左縦棒２１１１と右縦棒２２１１に固定接続される。
【００３３】
吊り部５は、水平パレット５１と垂直バッフル５２を含み、水平パレット５１の片側はスライドガイド３１と固定接続され、他側は垂直バッフル５２と接続される。
【００３４】
水平パレット５１とガイディングギャップ４２の水平壁板は滑り嵌めとなる。水平パレット５１とガイディングスロット４４は滑り嵌めとなる。水平パレット５１はガイディングスロット４４を経てポジショニングホール４３に入る。それから棚２が下へ移動し、水平パレット５１とポジショニングホール４３のトップは嵌合になる。棚２を取り外す時に、棚２を上へ移動させ、水平パレット５１はガイディングスロット４４と向かい合う。それから、棚２を水平に移動させ、水平パレット５１はガイディングギャップ４２に入ると、取り外すことができる。
【００３５】
左横棒２１２は二つ毎に左横棒グループになり、垂直接続部２３の垂直棒は二つ毎に垂直棒グループになり、右横棒２２２は二つ毎に右横棒グループになる。
【００３６】
隣り合う二つの左横棒グループの中で向かい合う二つの左横棒２１２は嵌合スロットになり、左横棒グループでの一つの左横棒２１２と左ボトムフレーム２１１の左フレーム横棒２１１２と嵌合スロットになる。
【００３７】
隣り合う二つの右横棒グループの中で向かい合う二つの右横棒２２２は嵌合スロットになり、右横棒グループの一つの右横棒２２２と右ボトムフレーム２２１の右フレーム横棒２２１２と嵌合スロットになる。
【００３８】
左横棒２１２、垂直接続部２３の垂直棒、及び右横棒２２２の各要素は、連続しており、１本の金属ワイヤで造られる。
【００３９】
本考案のさらなる改善として、図１と図２に示すように、まだ照明用ランプ６を含む。
【００４０】
チャンバー１の前開口部はチャンバー１の高さ方向に沿って照明用ランプ６が設けられる。両側の照明用ランプ６は向かい合う。
【００４１】
図７、図８に示すように、照明用ランプ６は、シート６１、シート６１上に設けられた照明基板６２、照明基板６２に設けられたＬＥＤ発光体６３、及び前記各要素を被覆するカバー６４を含む。
【００４２】
内壁１ａは側壁板１ａ-１と前壁板１ａ-２を備える。チャンバー１の側壁板１ａ-１と前壁板１ａ-２の交わり部にギャップ１１が設けられる。シート６１はギャップ１１と側壁板１ａ-１と平行する表面に設けられる。カバー６４とシート６１はスナップフィットとなる。
【００４３】
図８に示すように、シート６１に高さ方向に沿うスナップ部６１１と、シート６１外側での高さ方向に沿うピンボード６１２が設けられる。スナップ部６１１は照明基板６２の両側にあるシート６１に設けられる。
【００４４】
カバー６４の側壁板１ａ-１に二つの高さ方向に沿うスナップフック６４１が設けられ、前壁板１ａ-２の端に高さ方向に沿うピンスロット６４２が設けられる。
【００４５】
スナップフック６４１とスナップ部６１１はスナップフィットになり、ピンボード６１２はピンスロット６４２に差し込まれる。
【００４６】
上記構造を採用しているため、ワイン瓶を入れる時、左部分と右部分のワイン瓶の口は向かい合うことになり、チャンバーの広さを低減でき、ワイン瓶を取ったり入れたりする時に便利である。
【００４７】
以上に述べられたのは本考案の優先的な実施形態である。指摘すべきこととして、本分野の一般技術者は本考案の原理を離れず、若干の改善と変化を行うことができるが、これも本考案の保護範囲に属すると見なされる。
【符号の説明】
【００４８】
１００…ハウジング  １…チャンバー  １ａ…内壁部  １ａ-１…側壁板  １ａ-２…前壁板  １ｂ…空間部  ２…棚  ３…ガイド  ４…フック  ５…吊り部  ６…照明用ランプ  １１…ギャップ  ２１…左部分  ２１１…左ボトムフレーム  ２１１１…左縦棒  ２１１２…左フレーム横棒  ２１２…左横棒  ２２…右部分  ２２１…右ボトムフレーム  ２２１２…右フレーム横棒  ２２１１…右縦棒  ２２２…右横棒  ２３…垂直接続部  ３１…スライドガイド  ４１…ベースプレート  ４２…ガイディングギャップ  ４３…ポジショニングホール  ４４…ガイディングスロット  ５１…水平パレット  ５２…垂直バッフル  ６１…シート  ６１１…スナップ部  ６１２…ピンボード  ６２…照明基板  ６３…ＬＥＤ発光体  ６４…カバー  ６４１…スナップフック  ６４２…ピンスロット  
【図１】
0003219269.tif 000003
【図２】
0003219269.tif 000004
【図３】
0003219269.tif 000005
【図４】
0003219269.tif 000006
【図５】
0003219269.tif 000007
【図６】
0003219269.tif 000008
【図７】
0003219269.tif 000009
【図８】
0003219269.tif 000010
【手続補正書】
【提出日】平成30年10月9日(2018.10.9)
【手続補正１】
【補正対象書類名】実用新案登録請求の範囲
【補正対象項目名】全文
【補正方法】変更
【補正の内容】
【実用新案登録請求の範囲】
【請求項１】
チャンバー、棚、及びガイドを含んでおり、前記ガイドは固定レールとスライドガイドを含み、前記棚は前記スライドガイドと接続され、前記固定レールはチャンバーの内壁面と固定接続されること、前記棚は左部分、右部分、及び垂直接続部を含んでおり、前記左部分が所在する水平面と右部分が所在する水平面に高さの差があること、
前記左部分と右部分はそれぞれ前記ガイドのスライドガイドと着脱できること、を特徴とする棚形状が改善された冷蔵庫。
【請求項２】
前記左部分と右部分は前記スライドガイドとの接続部に少なくとも二つのフックが設置され、前記スライドガイドに少なくとも二つの吊り部が設置されること、前記フックと吊り部は着脱できることを特徴とする請求項１記載の棚形状が改善された冷蔵庫。
【請求項３】
前記左部分は左ボトムフレームと複数本の左横棒を含み、右部分は右ボトムフレームと複数本の右横棒を含み、垂直接続部は複数本の垂直棒からなること、前記垂直棒の両端はそれぞれ前記左横棒と右横棒の端と接続されること、前記フックはそれぞれ前記左ボトムフレームの左縦棒と右ボトムフレームの右縦棒に設けられることを特徴とする請求項２記載の棚形状が改善された冷蔵庫。
【請求項４】
前記フックはベースプレート、ベースプレートの前下部に設けられたガイディングギャップ、ベースプレートの中部に設けられたポジショニングホール、ガイディングギャップ、及び前記ポジショニングホールのボトムと接続するガイディングスロットを含むこと、
前記ベースプレートの上端は前記左縦棒と右縦棒と固定接続されること、
前記吊り部は水平パレットと垂直バッフルを含み、前記水平パレットの片側は前記スライドガイドと固定接続され、他側は前記垂直バッフルと接続されること、
前記水平パレットとガイディングギャップの水平壁板は滑り嵌めとなり、前記水平パレットとガイディングスロットは滑り嵌めとなり、前記水平パレットとポジショニングホールのトップは嵌合になることを特徴とする請求項３記載の棚形状が改善された冷蔵庫。
【請求項５】
前記左横棒は二つ毎に左横棒グループになり、前記垂直棒は二つ毎に垂直棒グループになり、前記右横棒は二つ毎に右横棒グループになること、
隣り合う二つの左横棒グループの中で、向かい合う二つの左横棒は嵌合スロットになり、左横棒グループでの一つの左横棒と前記左ボトムフレームの左フレーム横棒と嵌合スロットになること、
隣り合う二つの右横棒グループの中で、向かい合う二つの右横棒は嵌合スロットになり、右横棒グループの一つの右横棒と前記右ボトムフレームの右フレーム横棒と嵌合スロットになることを特徴とする請求項３記載の棚形状が改善された冷蔵庫。
【請求項６】
前記左横棒、垂直棒、及び右横棒のそれぞれは１本の金属ワイヤで造られる請求項３、４または５いずれかに記載の棚形状が改善された冷蔵庫。
【請求項７】
照明用ランプを含むこと、前記チャンバーの前開口部はチャンバーの高さ方向に沿って前記照明用ランプが設けられ、両側の照明用ランプは向かい合うことを特徴とする請求項１、２、３、４または５いずれかに記載の棚形状が改善された冷蔵庫。
【請求項８】
前記照明用ランプはシート、照明基板、照明基板に設けられたＬＥＤ発光体、及びカバーを含むこと、
前記チャンバーの側壁板と前壁板の交わり部にギャップが設けられ、前記シートはギャップと側壁板と平行する表面に設けられ、前記照明基板はシートに設けられ、カバーが前記シートとスナップフィットとなり、前記カバーとシートが着脱できることを特徴とする請求項７記載の棚形状が改善された冷蔵庫。
【請求項９】
前記シートに高さ方向に沿うスナップ部と、シート外側での高さ方向に沿うピンボードが設けられ、前記スナップ部は前記照明基板の両側にあること、
前記カバーの側壁板に二つの高さ方向に沿うスナップフックが設けられ、前壁板の端に高さ方向に沿うピンスロットが設けられること、
前記スナップフックとスナップ部はスナップフィットになり、前記ピンボードはピンスロットに差し込まれることを特徴とする請求項８記載の棚形状が改善された冷蔵庫。
【手続補正２】
【補正対象書類名】明細書
【補正対象項目名】００１２
【補正方法】変更
【補正の内容】
【００１２】
本考案はその特徴が以下の通りである。前記左横棒は二つ毎に左横棒グループになり、前記縦棒は二つ毎に縦棒グループになり、前記右横棒は二つ毎に右横棒グループになる。